(57)【要約】【課題】除菌剤として気体化するヨウ素を含んだ薬剤を使用する場合にも、気体化したヨウ素が靴内の一部分のみに偏在して付着することがなく、靴の内部全体に亘って拡散し、靴の内部の一部分のみを極端に変色させることなく靴の内部全体の除菌を行なうことができる靴用除菌器の提供を課題とする。【解決手段】通気性を有する薬剤袋３０内にはヨウ素含有の薬剤が封入されている。この薬剤袋３０は、収納器１０の底板部１１上の支持体１６によって支持される。放散孔１５を有する底板部１１の下面には、柄部２０の先端部を係止する柄部先端収納部１７と突起部１８とが、下方に向かって突設されている。収納器１０の本体１２を覆う蓋体１３にも放散孔１４が形成されている。【選択図】  図２
2008136514.tif 000002
【特許請求の範囲】
【請求項１】
通気性材料からなる袋体にヨウ素含有の薬剤が封入されている薬剤袋を収納した状態で
対象となる靴の内部に載置される収納部と、該収納部に配設された柄部とからなる靴用除
菌器であって、
前記薬剤袋を収納する収納部は、底板部を有する本体と、該本体を覆う蓋体とによって
構成され、
前記本体の底板部と前記蓋体とには、気体化した前記薬剤袋内のヨウ素が通過可能な複
数個の放散孔が形成され、
前記収納部の前記底板部の下面には、前記収納部が載置される靴の靴底に対して前記収
納部の前記底面部を離隔的に支持するスペース部材が下方に向かって突設されていること
を特徴とする靴用除菌器。
【請求項２】
前記底板部の上面には、前記薬剤袋を前記底板部に対して離隔的に支持する支持体が上
方に向かって突設されていることを特徴とする請求項１に記載の靴用除菌器。
【請求項３】
前記底板部の下面には、前記柄部の先端部を摺動自在に収納し且つ所定位置において前
記先端部と着脱自在に係合する柄部先端収納部が配設され、当該柄部先端収納部が前記ス
ペース部材の一部を構成していることを特徴とする請求項１または２に記載の靴用除菌器
。
【発明の詳細な説明】
【技術分野】
【０００１】
本発明は、使用していない状態の靴の内部に載置することによって、その靴の内部の除
菌を行なう靴用除菌器に関するものである。
【背景技術】
【０００２】
使用していない状態の靴の内部に載置することによって、その靴の内部の除菌や消臭を
行なう器具は、既に多く提案されている。
【０００３】
図７は、このような器具の一例の構成を示したものである。図７に示した器具は、脱臭
剤や乾燥剤などの薬剤が封入されている袋体７０を収納する２つの器具本体７１と、この
２つの器具本体７１を連結する連結部材７２によって構成されている。器具本体７１の上
部側には網状部７３が形成され、下部側には網状部７４が形成されており、また袋体７０
は通気性を有する材料で構成されているので、袋体７０内の薬剤は、靴などの履き物８０
内の空気に作用して、脱臭などの薬効を生じさせることができる（特許文献１参照）。
【特許文献１】登録実用新案第３０３４４１８号公報
【発明の開示】
【発明が解決しようとする課題】
【０００４】
このような器具に使用する薬剤として、本願出願人は、殺菌作用が大きいヨウ素に着目
し、長期間に亘って所定量のヨウ素を安定的に昇華させることができるヨウ素結合・担持
体を開発して既に提案している。（特願２００６−２０４８６１）。
【０００５】
しかしながら、このような昇華や気化などにより気体化したヨウ素を用いて靴の内部の
除菌を行なう場合、以下のような問題が生じてしまう。
【０００６】
ヨウ素分子（分子量約２５４）は空気（平均分子量２８．８）に比して著しく重いため
に、図７に示したような従来の器具を使用した場合には、気体化したヨウ素の大部分が器
具本体７１の下部側の網目を通って沈下し、器具本体７１の下部が接触している履き物８
０の底の表面にすぐ付着してしまう。即ち、気体化したヨウ素が、器具本体７１の下部側
の網状部７４が接触している履き物８０の底の一部分にのみ偏在して付着してしまう。従
って、気体化したヨウ素が履き物８０の内部全体に亘って効率よく拡散せず、さらに、器
具本体７１が置かれている靴底の部分が付着したヨウ素によって著しく変色してしまうと
いう問題が生じてしまう。
【課題を解決するための手段】
【０００７】
以上の課題を解決するために、本発明は、通気性材料からなる袋体にヨウ素含有の薬剤
が封入されている薬剤袋を収納した状態で対象となる靴の内部に載置される収納部と、該
収納部に配設された柄部とからなる靴用除菌器であって、前記薬剤袋を収納する収納部は
、底板部を有する本体と、該本体を覆う蓋体とによって構成され、前記本体の底板部と前
記蓋体とには、気体化した前記薬剤袋内のヨウ素が通過可能な複数個の放散孔が形成され
、  前記収納部の前記底板部の下面には、前記収納部が載置される靴の靴底に対して前記
収納部の前記底面部を離隔的に支持するスペース部材が下方に向かって突設されているこ
とを特徴とするものである。
【０００８】
ここで、前記底板部の上面には、前記薬剤袋を前記底板部に対して離隔的に支持する支
持体が上方に向かって突設されていてもよく、さらに、前記底板部の下面には、前記柄部
の先端部を摺動自在に収納し且つ所定位置において前記先端部と着脱自在に係合する柄部
先端収納部が配設され、当該柄部先端収納部が前記スペース部材の一部を構成していても
よい。
【発明の効果】
【０００９】
本発明によれば、除菌剤として気体化するヨウ素を含んだ薬剤を使用する場合にも、気
体化したヨウ素が靴内の一部分のみに偏在して付着することがなく、靴の内部全体に亘っ
て拡散するので、靴の内部の一部分のみを極端に変色させることなく靴の内部全体の除菌
を行なうことができる。
【発明を実施するための最良の形態】
【００１０】
以下、図面を用いて本発明の実施例を説明する。
【実施例１】
【００１１】
図１は、本発明の実施例１の構成を示す斜視図でる。本実施例１は、ヨウ素を含有する
薬剤を収納する収納部１０と、この収納部１０に係止されている柄部２０とから構成され
ている。
【００１２】
図２は、収納部１０の構成を示す分解斜視図であり、図３（ａ）は図１のＡ−Ａ断面図
、図３（ｂ）は図１のＢ−Ｂ断面図である。
【００１３】
図２に示すように、収納部１０は、ヨウ素含有の薬剤が通気性材料からなる袋体に封入
されている薬剤袋３０を収納するものであり、底板部１１を有する本体１２と、この本体
１２を覆う蓋体１３とによって構成されている。蓋体１３には気体化したヨウ素が通過可
能な複数の放散孔１４が形成されており、本体１２の底板部１１にも複数の放散孔１５が
形成されている。
【００１４】
本体１２の底板部１１の上面には、薬剤袋３０を支持する複数個の支持体１６が上方に
向かって突設されている。この複数の支持体１６によって薬剤袋３０は底板部１１の上面
から離隔した状態で支持される。
【００１５】
１７は、柄部２０の先端部を摺動自在に収納する柄部先端収納部であり、１８は突起部
である。
【００１６】
この柄部先端収納部１７は、図３（ａ），（ｂ）に示したように、本体１２の底板部１
１の下面に下方に向かって突設されており、この柄部先端収納部１７の下端部に突起部１
８が下方に向かって突設されている。
【００１７】
底板部１１の下面に突設されている柄部先端収納部１７および突起部１８によって、底
板部１１の下面が靴底から離隔した状態で、本実施例１の収納部１０は靴の内部に載置さ
れる。すなわち、この柄部先端収納部１７および突起部１８は靴底と底板部１１との間に
、空間を形成するスペース部材として作用する。なお、本実施例１を靴の内部に載置した
状態においては、図３（ａ）に示した状態から柄部２０の重さにより柄部２０が下がり、
収納部１０は突起部１８を支点として回転してその先端部が上に移動する。従って、柄部
２０とは反対側に位置している収納部１０の先端部には突起部１８が設けられていないが
、その先端部の下側には充分な空間が確保される。
【００１８】
ここで、本実施例１においては、図４（ａ），（ｂ）に示したように、柄部２０の先端
部を摺動自在に収納する柄部先端収納部１７の所定位置に係合口１７ａ，１７ｂが形成さ
れている。また、柄部２０の先端部には、係合口１７ａまたは係合口１７ｂと着脱自在に
係合可能な係合部２０ａが形成されている。
【００１９】
この係合部２０ａを係合口１７ａまたは１７ｂに適宜係合させることによって、柄部２
０を収納部１０に係止することができる。即ち、図５に示したように、本実施例１によれ
ば、柄部２０の長さを除菌する靴の形状に応じて適宜変えることができる。
【００２０】
以上のように構成された本実施例１を使用する場合には、先ず、図６に示したように、
対象となる靴４０の形状に応じて柄部２０の長さを調節し、その柄部２０を手に持って、
収納部１０が靴４０の「つま先」部分に位置するように収納部１０を靴４０の内部に載置
する。
【００２１】
このように設置された本実施例１の作用について図３を用いて説明する。
【００２２】
図３（ａ），（ｂ）に示したように、薬剤袋３０は、支持体１６によって、底板部１１
の上面に接触しない状態で支持されているために、薬剤袋３０内のヨウ素は気体化して、
先ず、収納部１０の内部に拡散する。
【００２３】
収納部１０の内部に拡散したヨウ素は蓋体１３の放散孔１４や底板部１１の放散孔１５
を通過して靴４０の内部に放散される。このとき、本実施例１においては、柄部先端収納
部１７および突起部１８によって底板部１１の下面と靴底の表面との間に空間が形成され
ているので、底板部１１の放散孔１５を通過したヨウ素が直ちに靴底の表面に付着するこ
とがなく、この空間内で拡散されて周囲に広がっていく。
【００２４】
従って、本実施例１によれば、ヨウ素を含有する除菌剤を使用した場合でも、気体化し
たヨウ素を極端に偏在させることなく靴の内部に拡散させることができるので、本実施例
１が載置された部分の靴底が他の部分に比して極端に変色することはない。
【００２５】
なお、以上説明した本実施例１においては、柄部２０の長さが調節可能となるように構
成されているが、一定の長さの柄部の一端側を収納部１０に固定するという構成としても
、本発明の作用・効果に影響はない。
【図面の簡単な説明】
【００２６】
【図１】本発明の実施例１の構成を示す斜視図である。
【図２】本発明の実施例１の構成を示す分解斜視図である。
【図３】本発明の実施例１の内部構成を示す断面図である。
【図４】本発明の実施例１の構成の説明図である。
【図５】本発明の実施例１の構成の説明図である。
【図６】本発明の実施例１の使用方法の説明図である。
【図７】従来の靴用除菌器の構成図である。
【符号の説明】
【００２７】
１０  収納部
１１  底板部
１２  本体
１３  蓋体
１４，１５  放散孔
１６  支持体
１７  柄部先端収納部
１７ａ，１７ｂ  係合口
１８  突起部
２０  柄部
２０ａ  係合部
３０  薬剤袋
４０  靴
【図１】
2008136514.tif 000003
【図２】
2008136514.tif 000004
【図３】
2008136514.tif 000005
【図４】
2008136514.tif 000006
【図５】
2008136514.tif 000007
【図６】
2008136514.tif 000008
【図７】
2008136514.tif 000009